(57)【要約】      （修正有）【課題】利用者や利用者の携行物等の異物が接触または衝突することのない可動式保護体を欄干部に備えた乗客コンベアを得る。【解決手段】移動手摺１０が侵入する開口部２２を有する前面パネル２１を含む構成の欄干部２０と、前面パネルの開口部であって、かつ移動手摺の外側に配置され、利用者や利用者の携行物等の異物が移動手摺に巻き込まれた際、移動手摺の移動方向に変位もしくは変形する可動式保護体２４と、可動式保護体の変位もしくは変形により移動手摺の移動を停止させる異常検知手段２５と、を備えた乗客コンベアにおいて、可動式保護体を、欄干部の内部に収納配置すると共に、前面パネルに近接して配置することを特徴とする。【選択図】図２
2007204211.tif 000002
【特許請求の範囲】
【請求項１】
移動手摺が侵入する開口部を有する前面パネルを含む構成の欄干部と、
上記前面パネルの開口部であって、かつ上記移動手摺の外側に配置され、利用者や利用者の携行物等の異物が上記移動手摺に巻き込まれた際、変位もしくは変形する可動式保護体と、
上記可動式保護体の変位もしくは変形により上記移動手摺の移動を停止させる異常検知手段と、
を備えた乗客コンベアにおいて、
上記可動式保護体を、上記欄干部の内部に収納配置すると共に、上記前面パネルに近接して配置することを特徴とする乗客コンベア。
【請求項２】
上記可動式保護体を柔軟材で構成すると共に、上記可動式保護体の表面と、上記欄干部を構成する部材との間に所定の空隙を形成することを特徴とする請求項１記載の乗客コンベア。
【請求項３】
上記前面パネルの開口部に、この開口部を塞ぐ保護膜体を設けたことを特徴とする請求項１又は請求項２記載の乗客コンベア。
【発明の詳細な説明】
【技術分野】
【０００１】
この発明はエスカレータあるいは電動道路等の乗客コンベアに係り、特に循環する移動手摺の出入口部に設けられた欄干部を改良した乗客コンベアに関するものである。
【背景技術】
【０００２】
一般に、乗客コンベアには循環する移動手摺の出入口部に設けられた欄干部に、利用者の手や携行物等の異物が移動手摺に巻き込まれたような危険状態が発生した場合、これを保護すると共に、移動手摺を停止させる安全装置として作動する可動式の保護体が設置されている。そしてこの可動式保護体の一部が欄干部を構成する前面パネルから外部に突出している（例えば、特許文献１、特許文献２参照）。
【０００３】
【特許文献１】特開平０６−２１１４７７号公報（段落０００２、図５）
【特許文献２】特開昭５９−８２２８７号公報（２頁左下欄５行〜１９行、図４）
【発明の開示】
【発明が解決しようとする課題】
【０００４】
上記特許文献に開示された乗客コンベアは、可動式保護体が移動手摺の出入口部に設けられた欄干部の前面パネルから外部に突出する部分を有しているため、保護体の突出した部分に利用者や利用者の携行物等の異物が接触または衝突した場合、保護体と移動手摺との間に何も挟まっていないにも拘わらず、安全装置が作動し、乗客コンベアを停止させる危険性がある。
【０００５】
この発明は上記のような従来技術の課題を解決するためになされたもので、利用者や利用者の携行物等の異物が接触または衝突することのない保護体を欄干部に備えた乗客コンベアの提供を目的とするものである。
【課題を解決するための手段】
【０００６】
この発明に係る乗客コンベアは、移動手摺が侵入する開口部を有する前面パネルを含む構成の欄干部と、上記前面パネルの開口部であって、かつ上記移動手摺の外側に配置され、利用者や利用者の携行物等の異物が上記移動手摺に巻き込まれた際、変位もしくは変形する可動式保護体と、上記可動式保護体の変位もしくは変形により上記移動手摺の移動を停止させる異常検知手段と、を備えた乗客コンベアにおいて、上記可動式保護体を、上記欄干部の内部に収納配置すると共に、上記前面パネルに近接して配置することを特徴とするものである。
【発明の効果】
【０００７】
この発明に係る乗客コンベアによれば、利用者や利用者の携行物等の異物が移動手摺に巻き込まれたような危険状態が発生した場合に作動する保護体に、欄干部の前面パネルから外部に突出する部分がないため、利用者や利用者の携行物等の異物の接触や衝突に起因する誤検出による安全装置の誤作動を防止することができる。
【発明を実施するための最良の形態】
【０００８】
以下、添付図面を参照しながらこの発明をエスカレータに適用した場合の実施の形態を説明する。
【０００９】
実施の形態１．
図１はこの発明の実施の形態１に係るエスカレータの全体構成を示す側面縦断面図で、図において、エスカレータは上梁１ａと下梁１ｂとの間に跨設されたトラス２によって支持された傾斜路を形成し、この傾斜路の頂部には駆動電動機３が収納され、踏段スプロケット４を駆動する。踏段スプロケット４には無端状の踏段チェーン５が巻き掛けられており、更にこの踏段チェーン５には踏段６が縦列に係止されて移動する。
【００１０】
踏段スプロケット４の回転軸（図示せず）には、手摺第１スプロケット７が取り付けられており、手摺チェーン８を介して手摺第２スプロケット９を駆動する。この手摺第２スプロケット９によって手摺駆動ユニットＨＤが駆動され、この手摺駆動ユニットＨＤによって移動手摺１０が踏段６と等速で循環駆動される。なお、このエスカレータは制御盤１１によって運転制御される。
【００１１】
図２はエスカレータの移動手摺の出入口部が設けられた欄干部を示す構造図で、内部構造を説明するため部分的に切り欠いた部分断面構造で表現した図である。この図２において、移動手摺１０は、欄干部２０を構成する前面パネル２１の開口部２２へ侵入するように手摺案内レール２３によって案内される。前面パネル２１の開口部２２には、移動手摺１０の進行方向に移動可能な可動式保護体２４が前面パネル２１から突出する部分がないように欄干部２０の内部に収納配置されている。なお、この可動式保護体２４は、移動手摺１０を取り巻くように移動手摺１０の外側に配置されている。
【００１２】
可動式保護体２４はゴム等の柔軟な材質で構成されており、可動式保護体２４と循環する移動手摺１０との間に利用者の手や携行物等の異物が挟まった場合に欄干部２０の内部へ移動する等、変位もしくは変形し、欄干部２０の内部に設けられた異常検知手段であるスイッチ２５を作動させる作動子としての機能も兼ね備えている。即ち、可動式保護体２４と移動手摺１０との間に利用者の手や携行物等の異物が挟まった場合に、可動式保護体２４が前面パネル２１に対し欄干部２０の内部へ移動し、スイッチ２５を作動させることにより、エスカレータの駆動電動機３を停止させる。なお、可動式保護体２４の前面パネル２１側には、前面パネル２１の外面と概ね一致した面状の保護膜体２６が設けられている。
【００１３】
図３は図２の欄干部２０の縦断面を示す図で、この図から理解されるように、可動式保護体２４と前面パネル２１との間には利用者である人間の手が入る程度の所定の空隙２７が確保されており、前面パネル２１の壁面２８が可動式保護体２４を取り囲むように構成されている。
【００１４】
この発明の実施の形態１に係るエスカレータの欄干部２０は上記のように構成されているので、安全装置の作動子でもある可動式保護体２４が欄干部２０の前面パネル２１より外側に突出していないため、利用者や利用者の携行物が可動式保護体２４に接触または衝突することがなく、安全装置の誤動作を防止することが可能となる。また、可動式保護体２４と前面パネル２１の壁面２８との間には利用者である人間の手が入る程度の所定の空隙２７が確保されているため、万一利用者の手が移動手摺１０と可動式保護体２４との間に挟まり、可動式保護体２４が前面パネル２１の壁面２８側へ膨らんでも、前面パネル２１の壁面２８と可動式保護体２４とが接触することがないため、挟まれた利用者の手が圧迫されることがなく安全である。
【００１５】
さらに、保護膜体２６により前面パネル２１の開口部２２を塞ぐことにより、可動式保護体２４と前面パネル２１の壁面２８の間に異物が入り込むことを防止することができ、可動式保護体２４を移動させることがなく、また、欄干部２０の内部への埃や異物の侵入を抑制する効果を奏するものである。
【００１６】
実施の形態２．
図４はこの発明の実施の形態２を示す斜視図である。図４において、実施の形態１と同様に、移動手摺１０は欄干部２０の前面パネル２１の開口部２２に侵入するように案内され、前面パネル２１の開口部２２には移動手摺１０の進行方向に移動可能な可動式保護体２４が設けられている。可動式保護体２４による案内装置としての作動原理や構成は実施の形態１と同様であるが、実施の形態１における保護膜体２６がない形態を示している。なお、その他エスカレータ自身の構成については、実施の形態１と同様であるので説明を省略する。
【００１７】
実施の形態２に示すエスカレータの欄干部２０は上記のように構成されているが、このような構成であっても、可動式保護体２４が前面パネル２１の表面から突出していないため安全装置が誤動作することなく、万一利用者の手が挟まれた場合でも、可動式保護体２４と前面パネル２１の壁面２８との間には利用者の手が入る程度の所定の空隙２７が確保されているため、挟まれた利用者の手が圧迫されることがなく安全である。
【００１８】
実施の形態３．
図５はこの発明の実施の形態３を示す斜視図である。図５から明らかなように、本実施の形態によるエスカレータの欄干部５０は、前面パネル５１の開口部５２が下側に開放され、壁面５３が可動式保護体２４と空隙５４を形成する構造となっている。なお、その他の構成については実施の形態１と同様であり、同一符号を付すことにより、その説明を省略する。
【００１９】
実施の形態３においても、可動式保護体２４が前面パネル５１から突出しておらず、また可動式保護体２４と前面パネル５１の壁面５３との間には人間の手が入る程度の所定の空隙５４が確保されているため、実施の形態１あるいは実施の形態２と同様な効果を奏するものである。
【００２０】
以上の各実施の形態においては、この発明をエスカレータに適用した場合について図示説明したが、エスカレータに限らず電動道路等の乗客コンベアに適用できることは明らかである。
【産業上の利用可能性】
【００２１】
この発明に係る乗客コンベアは、利用者や利用者の携行物等の異物が接触または衝突することのない保護体を欄干部に備えたことにより、異物の接触や衝突に起因する誤検出による安全装置の誤作動を防止することができるものであり、産業上の利用可能性は大きいものがある。
【図面の簡単な説明】
【００２２】
【図１】この発明の実施の形態１に係るエスカレータ側面縦断面図である。
【図２】この発明の実施の形態１に係るエスカレータの欄干部の部分断面構造図である。
【図３】図２に示すエスカレータの欄干部の縦断面を示す図である。
【図４】この発明の実施の形態２に係るエスカレータの欄干部の部分断面構造図である。
【図５】この発明の実施の形態３に係るエスカレータの欄干部の部分断面構造図である。
【符号の説明】
【００２３】
１ａ  上梁                              １ｂ  下梁
２  トラス                              ３  駆動電動機
４  踏段スプロケット                    ５  踏段チェーン
６  踏段                                ７  手摺第１スプロケット
８  手摺チェーン                        ９  手摺第２スプロケット
１０  移動手摺                          １１  制御盤
ＨＤ  手摺駆動ユニット                  ２０、５０  欄干部
２１、５１  前面パネル                  ２２、５２  開口部
２３  手摺案内レール                    ２４  可動式保護体
２５  スイッチ                          ２６  保護膜体
２７、５４  空隙                        ２８、５３  壁面
【図１】
2007204211.tif 000003
【図２】
2007204211.tif 000004
【図３】
2007204211.tif 000005
【図４】
2007204211.tif 000006
【図５】
2007204211.tif 000007